(57)【要約】【課題】複数の感光ドラムを備えたドラムユニットを本体筐体に対して精度良く位置決めすることを目的とする。【解決手段】画像形成装置（カラープリンタ１）は、所定方向に並ぶ複数の感光ドラム４１を備えたドラムユニット４０と、露光ヘッド５０と現像カートリッジ６０を支持し、露光ヘッド５０が感光ドラム４１を露光可能な露光位置と、露光ヘッド５０が感光ドラム４１から離間する離間位置の間を回動可能な支持部材９０と、ドラムユニット４０を所定方向に位置決めする位置決め部ＳＰと、ドラムユニット４０を位置決め部ＳＰに押圧する第１押圧部材Ｐ１を備える。支持部材９０を露光位置に回動するときに、第１押圧部材Ｐ１が支持部材９０で押され、第１押圧部材Ｐ１がドラムユニット４０を押圧する。第１押圧部材Ｐ１の押圧力は、所定方向の成分が、所定方向および感光ドラム４１の回転軸線方向に直交する直交方向の成分よりも大きい。【選択図】図７
2019152843.tif 000002
【特許請求の範囲】
【請求項１】
所定方向に並んだ複数の感光ドラムを備えたドラムユニットと、
前記感光ドラムを露光する露光ヘッドと、
現像剤を収容する現像カートリッジと、
前記露光ヘッドおよび前記現像カートリッジを支持し、前記露光ヘッドが前記感光ドラムを露光可能な露光位置と、前記露光ヘッドが前記感光ドラムから離間する離間位置との間を回動可能な支持部材と、
前記複数の感光ドラムと接触するベルトと、
前記ドラムユニットを前記所定方向に位置決めするための位置決め部を有する本体筐体と、
前記ドラムユニットを前記位置決め部に押圧する第１押圧部材と、を備え、
前記支持部材を前記離間位置から前記露光位置に回動するときに、前記第１押圧部材が前記支持部材で押されることで、前記第１押圧部材が前記ドラムユニットを押圧し、
前記第１押圧部材の押圧力は、前記所定方向の成分が、前記所定方向および前記感光ドラムの回転軸線方向に直交する直交方向の成分よりも大きいことを特徴とする画像形成装置。
【請求項２】
前記本体筐体は、前記ドラムユニットを前記位置決め部に押圧する第２押圧部材と、前記位置決め部に向けて延びるガイドと、を備え、
前記ドラムユニットは、前記ガイドでガイドされ、かつ、前記位置決め部に位置決めされる基準軸を有し、
前記第２押圧部材の押圧力は、前記所定方向の成分が、前記基準軸と前記ガイドとの間に発生する摩擦力よりも大きいことを特徴とする請求項１に記載の画像形成装置。
【請求項３】
前記本体筐体に形成された開口部を開閉するカバーと、
前記本体筐体に回動可能に支持され、前記カバーと前記第２押圧部材に接触可能な回動部材と、を備え、
前記カバーを閉めるときに、前記カバーが前記回動部材に接触して前記回動部材が回動することで、前記回動部材が前記第２押圧部材を前記ドラムユニットに向けて押圧することを特徴とする請求項２に記載の画像形成装置。
【請求項４】
前記回動部材は、前記第２押圧部材を前記所定方向に沿って押圧することを特徴とする請求項３に記載の画像形成装置。
【請求項５】
前記支持部材を前記離間位置から前記露光位置に移動させるときに、前記第１押圧部材は、前記露光ヘッドおよび前記現像カートリッジよりも先に、前記ドラムユニットに接触することを特徴とする請求項２から請求項４のいずれか１項に記載の画像形成装置。
【請求項６】
前記第１押圧部材は、前記支持部材に設けられるバネと、前記本体筐体に回動可能に設けられるロック部材と、を備え、
前記支持部材を前記離間位置から前記露光位置に回動するときに、前記支持部材が前記バネを介してロック部材を押圧することで、前記ロック部材が前記基準軸を前記位置決め部に押圧することを特徴とする請求項２から請求項５のいずれか１項に記載の画像形成装置。
【請求項７】
前記ロック部材は、前記バネに連結されていることを特徴とする請求項６に記載の画像形成装置。
【請求項８】
前記位置決め部は、凹部であり、
前記ロック部材は、前記支持部材が前記露光位置に位置するときに、前記位置決め部の開口を塞ぐ第１位置に位置し、前記支持部材が前記離間位置に位置するときに、前記位置決め部の開口を開放する第２位置に位置することを特徴とする請求項７に記載の画像形成装置。
【請求項９】
前記第１押圧部材および前記第２押圧部材は、前記ドラムユニットに対して、前記回転軸線方向の一方側と他方側に１つずつ設けられていることを特徴とする請求項２から請求項８のいずれか１項に記載の画像形成装置。
【発明の詳細な説明】
【技術分野】
【０００１】
本発明は、感光ドラム、露光ヘッドおよび現像カートリッジを備えた画像形成装置に関する。
【背景技術】
【０００２】
従来、画像形成装置として、複数の露光ヘッドおよび複数の現像カートリッジを備えた支持部材と、感光ドラムを備えた複数のドラムカートリッジと、複数の感光ドラムに接触するベルトとを備えたものが知られている（特許文献１参照）。この技術では、支持部材が回動可能に構成されており、支持部材を上に回動した後で、その下にあるドラムカートリッジをそれぞれ交換することが可能となっている。
【先行技術文献】
【特許文献】
【０００３】
【特許文献１】特開２０１３−１３４３７１号公報
【発明の概要】
【発明が解決しようとする課題】
【０００４】
ところで、複数の感光ドラムの交換を容易にするために、複数の感光ドラムを１つのドラムユニットに設けることが考えられる。しかしながら、この場合、ドラムユニットを本体筐体に位置決めする際に、複数の感光ドラムとベルトが擦れて、摩擦抵抗が大きくなり、ドラムユニットを精度良く位置決めできなくなるおそれがある。
【０００５】
そこで、本発明は、複数の感光ドラムを備えたドラムユニットを本体筐体に対して精度良く位置決めすることができる画像形成装置を提供することを目的とする。
【課題を解決するための手段】
【０００６】
前記課題を解決するため、本発明に係る画像形成装置は、所定方向に並んだ複数の感光ドラムを備えたドラムユニットと、前記感光ドラムを露光する露光ヘッドと、現像剤を収容する現像カートリッジと、前記露光ヘッドおよび前記現像カートリッジを支持し、前記露光ヘッドが前記感光ドラムを露光可能な露光位置と、前記露光ヘッドが前記感光ドラムから離間する離間位置との間を回動可能な支持部材と、前記複数の感光ドラムと接触するベルトと、前記ドラムユニットを前記所定方向に位置決めするための位置決め部を有する本体筐体と、前記ドラムユニットを前記位置決め部に押圧する第１押圧部材と、を備える。
前記支持部材を前記離間位置から前記露光位置に回動するときに、前記第１押圧部材が前記支持部材で押されることで、前記第１押圧部材が前記ドラムユニットを押圧する。
前記第１押圧部材の押圧力は、前記所定方向の成分が、前記所定方向および前記感光ドラムの回転軸線方向に直交する直交方向の成分よりも大きい。
【０００７】
この構成によれば、支持部材を離間位置から露光位置に移動させるときに支持部材に加える力と、第１押圧部材の押圧力とによって、ドラムユニットをベルトの摩擦力に抗して位置決め部に押し付けることができるので、ドラムユニットを本体筐体に対して精度良く位置決めすることができる。
【０００８】
また、前記本体筐体は、前記ドラムユニットを前記位置決め部に押圧する第２押圧部材と、前記位置決め部に向けて延びるガイドと、を備え、前記ドラムユニットは、前記ガイドでガイドされ、かつ、前記位置決め部に位置決めされる基準軸を有し、前記第２押圧部材の押圧力は、前記所定方向の成分が、前記基準軸と前記ガイドとの間に発生する摩擦力よりも大きくてもよい。
【０００９】
これによれば、第１押圧部材と第２押圧部材によって、ドラムユニットをベルトの摩擦力に抗して位置決め部に押し付けることができるので、ドラムユニットを本体筐体に対して精度良く位置決めすることができる。また、第１押圧部材のみでドラムユニットを押圧する構造に比べ、第１押圧部材の力を小さくすることができるので、支持部材を露光位置にセットする際において支持部材を操作するユーザに加わる第１押圧部材からの反力を小さくすることができる。
【００１０】
また、前記画像形成装置は、前記本体筐体に形成された開口部を開閉するカバーと、前記本体筐体に回動可能に支持され、前記カバーと前記第２押圧部材に接触可能な回動部材と、を備え、前記カバーを閉めるときに、前記カバーが前記回動部材に接触して前記回動部材が回動することで、前記回動部材が前記第２押圧部材を前記ドラムユニットに向けて押圧してもよい。
【００１１】
これによれば、カバーを閉める力を、ドラムユニットの位置決めのための力として利用することができる。
【００１２】
また、前記回動部材は、前記第２押圧部材を前記所定方向に沿って押圧してもよい。
【００１３】
また、前記支持部材を前記離間位置から前記露光位置に移動させるときに、前記第１押圧部材は、前記露光ヘッドおよび前記現像カートリッジよりも先に、前記ドラムユニットに接触してもよい。
【００１４】
これによれば、露光ヘッドや現像カートリッジがドラムユニットに接触することによって生じる摩擦力が発生する前に、第１押圧部材がドラムユニットに接触してドラムユニットを押圧するので、ドラムユニットをより精度良く位置決めすることができる。
【００１５】
また、前記第１押圧部材は、前記支持部材に設けられるバネと、前記本体筐体に回動可能に設けられるロック部材と、を備え、前記支持部材を前記離間位置から前記露光位置に回動するときに、前記支持部材が前記バネを介してロック部材を押圧することで、前記ロック部材が前記基準軸を前記位置決め部に押圧してもよい。
【００１６】
また、前記ロック部材は、前記バネに連結されていてもよい。
【００１７】
これによれば、支持部材を露光位置から離間位置に移動させると、バネに連結されたロック部材が回動して基準軸から外れるので、ユーザがロックを外す手間を省くことができ、操作性を向上させることができる。
【００１８】
また、前記位置決め部は、凹部であり、前記ロック部材は、前記支持部材が前記露光位置に位置するときに、前記位置決め部の開口を塞ぐ第１位置に位置し、前記支持部材が前記離間位置に位置するときに、前記位置決め部の開口を開放する第２位置に位置してもよい。
【００１９】
これによれば、ドラムユニットを本体筐体に装着する際に、ロック部材が位置決め部の開口を開放する位置に位置することで、ユーザが位置決め部を視認しやすいので、操作性を向上させることができる。
【００２０】
また、前記第１押圧部材および前記第２押圧部材は、前記ドラムユニットに対して、前記回転軸線方向の一方側と他方側に１つずつ設けられていてもよい。
【００２１】
これによれば、ドラムユニットを回転軸線方向の両側に配置された第１押圧部材等によってバランスよく押圧することができる。
【発明の効果】
【００２２】
本発明によれば、複数の感光ドラムを備えたドラムユニットを本体筐体に対して精度良く位置決めすることができる。
【図面の簡単な説明】
【００２３】
【図１】本発明の一実施形態に係るカラープリンタを示す断面図である。
【図２】トップカバーを開いた状態のカラープリンタを示す断面図である。
【図３】ドラムユニットおよび支持部材の前側と後側の構造を拡大して示す図である。
【図４】現像カートリッジを外した状態の支持部材を示す側面図（ａ）と、支持部材に対して現像カートリッジが回動可能であることを示す図（ｂ）と、レバーとサブガイドの間で第２凸部が挟まれた状態を示す図（ｃ）である。
【図５】ドラムユニットを示す側面図である。
【図６】支持部材が露光位置に位置するときの支持部材およびドラムユニットを示す側面図である。
【図７】本体筐体の左側の構造を示す図である。
【図８】本体筐体にドラムユニットを装着し始めるときの状態を示す図である。
【図９】ドラムユニットの被押圧部が第２押圧部材に接触した状態を示す図である。
【図１０】支持部材を離間位置から露光位置に回動していく状態を示す図である。
【発明を実施するための形態】
【００２４】
次に、本発明の一実施形態について、適宜図面を参照しながら詳細に説明する。なお、以下の説明においては、まず、画像形成装置の一例としてのカラープリンタ１の概略構成を簡単に説明した後、本発明の特徴部分の構成について詳細に説明する。
【００２５】
以下の説明において、方向は、図１に示す方向で説明する。すなわち、図１における左側を「前」、右側を「後」とし、奥側を「左」、手前側を「右」とする。また、図１における上側を「上」、下側を「下」とする。
【００２６】
図１に示すように、カラープリンタ１は、本体筐体１０と、カバーの一例としてのトップカバー１１と、本体筐体１０内に設けられた給紙部２０および画像形成部３０とを備えている。
【００２７】
本体筐体１０は、上方に開口する開口部１０Ａを有している。トップカバー１１は、開口部１０Ａを開閉するカバーであり、本体筐体１０の上部に配置されている。トップカバー１１は、後側の回動軸１１Ａを中心として本体筐体１０に対し回動可能に設けられている（図２参照）。
【００２８】
給紙部２０は、本体筐体１０内の下部に設けられ、用紙Ｐを収容する給紙トレイ２１と、給紙トレイ２１から用紙Ｐを画像形成部３０に供給する用紙供給機構２２とを備えている。給紙トレイ２１内の用紙Ｐは、用紙供給機構２２によって１枚ずつ分離されて画像形成部３０に供給される。
【００２９】
画像形成部３０は、ドラムユニット４０と、４つの露光ヘッド５０と、４つの現像カートリッジ６０と、転写ユニット７０と、定着ユニット８０とを備えている。４つの露光ヘッド５０および４つの現像カートリッジ６０は、本体筐体１０に対して回動可能な支持部材９０によって支持されている。
【００３０】
ドラムユニット４０は、４つの感光ドラム４１と、４つの帯電ローラ４２と、各感光ドラム４１および各帯電ローラ４２を回転可能に支持するドラムフレーム４３とを備えている。４つの感光ドラム４１は、所定方向の一例としての前後方向に並ぶように配置されている。各感光ドラム４１は、回転軸線が左右方向に沿っている。帯電ローラ４２は、感光ドラム４１を帯電させるローラであり、各感光ドラム４１に対応して設けられている。
【００３１】
露光ヘッド５０は、感光ドラム４１の表面を露光するものであり、各感光ドラム４１に対応して設けられている。露光ヘッド５０は、感光ドラム４１の上方に配置され、その下端に発光素子と結像レンズを有している。
【００３２】
現像カートリッジ６０は、感光ドラム４１の露光ヘッド５０で露光された部分に現像剤を供給するものであり、各感光ドラム４１に対応して設けられている。現像カートリッジ６０は、現像剤を収容する現像剤収容部６１と、現像剤収容部６１内の現像剤を感光ドラム４１に供給する現像ローラ６２とを主に備えている。各現像カートリッジ６０の現像剤収容部６１には、前から順にイエロー、マゼンタ、シアン、ブラックの現像剤が収容されている。なお、本実施形態において、各現像カートリッジ６０の容量は、同一とする。
【００３３】
支持部材９０は、ドラムユニット４０の上方に配置されている。支持部材９０は、露光ヘッド５０が感光ドラム４１を露光可能な露光位置（図１の位置）と、露光位置よりも露光ヘッド５０が感光ドラム４１から離間する離間位置（図２の位置）との間を回動可能となっている。支持部材９０が離間位置に位置する状態において、ドラムユニット４０は、本体筐体１０に対して着脱可能となっている。また、各現像カートリッジ６０は、支持部材９０に対して着脱可能となっている。
【００３４】
転写ユニット７０は、給紙トレイ２１とドラムユニット４０との間に設けられている。転写ユニット７０は、駆動ローラ７１と、従動ローラ７２と、ベルトの一例としての搬送ベルト７３と、４つの転写ローラ７４とを備えている。搬送ベルト７３は、無端状のベルトであり、駆動ローラ７１と従動ローラ７２の間に張設されている。搬送ベルト７３は、外側の面が各感光ドラム４１に接しており、その内側には各転写ローラ７４が各感光ドラム４１との間で搬送ベルト７３を挟持するように配置されている。
【００３５】
定着ユニット８０は、転写ユニット７０の後方に設けられ、加熱ローラ８１と、加熱ローラ８１に向けて押圧される加圧ローラ８２とを備えている。
【００３６】
このような画像形成部３０では、感光ドラム４１の表面が、帯電ローラ４２により一様に帯電された後、露光ヘッド５０によって露光されることで、感光ドラム４１上に画像データに基づく静電潜像が形成される。そして、現像ローラ６２から感光ドラム４１に現像剤が供給されることで、静電潜像が可視像化されて感光ドラム４１上に現像剤像が形成される。
【００３７】
各感光ドラム４１上に形成された現像剤像は、各転写ローラ７４によって、搬送ベルト７３上の用紙Ｐに順次重ね合わせて転写される。現像剤像が転写された用紙Ｐは、加熱ローラ８１と加圧ローラ８２の間を搬送されることで現像剤像が熱定着される。その後、用紙Ｐは、本体筐体１０内から外部に排出され、トップカバー１１の上面に形成された排紙トレイ１１Ｂ上に載置される。
【００３８】
次に、ドラムユニット４０のドラムフレーム４３と支持部材９０について詳細に説明する。詳しくは、現像カートリッジ６０および露光ヘッド５０を支持する構造と、ドラムユニット４０を本体筐体１０に位置決めするための構造について詳細に説明する。
【００３９】
図３に示すように、ドラムフレーム４３は、前壁４３１と、２つの側壁４３２，４３３と、後壁４３４と、ハンドルＨ１とを備えている。前壁４３１は、複数の感光ドラム４１に対して前側に配置されている。
【００４０】
２つの側壁４３２，４３３は、各感光ドラム４１を回転可能に支持する壁であり、前壁４３１の左右の各端部から後方に向けて延びている。後壁４３４は、複数の感光ドラム４１に対して後側に配置される壁であり、各側壁４３２，４３３の後端部を連結している。
【００４１】
ハンドルＨ１は、左右方向に延びる円柱状のハンドルであり、左右方向の両端部が２つのアーム部材４３５を介して前壁４３１の上端部に連結されている。各アーム部材４３５は、前壁４３１の上端部から前斜め上方に向けて延びている。ハンドルＨ１は、各アーム部材４３５の先端に固定されている。
【００４２】
支持部材９０は、前壁９１と、２つの側壁９２，９３と、後壁９４と、ハンドルＨ２とを備えている。前壁９１は、複数の現像カートリッジ６０に対して前側に配置されている。
【００４３】
２つの側壁９２，９３は、各現像カートリッジ６０および各露光ヘッド５０を支持する壁であり、前壁９１の左右の各端部から後方に向けて延びている。２つの側壁９２，９３は、左右方向、つまり感光ドラム４１の回転軸線方向において各現像カートリッジ６０および各露光ヘッド５０を挟んでいる。後壁９４は、複数の現像カートリッジ６０に対して後側に配置される壁であり、各側壁９２，９３の後端部を連結している。
【００４４】
後壁９４の左右方向の各端部には、後方に向けて延出する延出部９５が１つずつ設けられている。各延出部９５の後端部は、本体筐体１０に回動可能に支持されている。つまり、支持部材９０は、水平方向、詳しくは前後方向の一端を中心にして本体筐体１０に対して回動可能となっている。
【００４５】
詳しくは、各延出部９５は、支持部材９０を露光位置と離間位置とに回動するための回動軸９５Ａを後端部に有している。ここで、回動軸９５Ａは、本体筐体１０に形成される穴に回動可能に支持される円柱であってもよいし、本体筐体１０に設けられる円柱状のボスに回動可能に支持される穴であってもよい。回動軸９５Ａは、支持部材９０の前後方向の一端に配置されている。
【００４６】
ハンドルＨ２は、左右方向に延びる円柱状のハンドルであり、左右方向の両端部が２つのハンドル支持部９６を介して前壁９１の上端部に連結されている。各ハンドル支持部９６は、前壁９１の上端部における左右方向の各端部から前方に向けて延びている。ハンドルＨ２は、各ハンドル支持部９６の前端部に固定されている。
【００４７】
また、支持部材９０は、現像カートリッジ６０同士を仕切る３つの第１壁９７を有している。各第１壁９７は、２つの側壁９２，９３に接合されている。各第１壁９７は、上下方向に延びる第１部位９７Ａと、第１部位９７Ａの上端に配置される第２部位９７Ｂとを有している。第２部位９７Ｂは、第１部位９７Ａよりも前方に突出するように配置されている。露光ヘッド５０は、第２部位９７Ｂの下方であって、かつ、第１部位９７Ａの前方に配置されている。
【００４８】
つまり、第２部位９７Ｂは、上下方向、つまり感光ドラム４１の回転軸線と感光ドラム４１の並び方向（所定方向）とに直交する直交方向から見て、露光ヘッド５０と重なっている。また、第１部位９７Ａは、前後方向から見て、露光ヘッド５０と重なっている。
【００４９】
また、第２部位９７Ｂの後側の面は、後斜め下方に傾斜する傾斜面となっており、第１部位９７Ａの後面に繋がっている。これにより、第１壁９７の後に配置される現像カートリッジ６０の前面を第２部位９７Ｂの傾斜面に沿って斜めに形成して、現像カートリッジ６０の容量を大きくすることが可能となっている。
【００５０】
また、前述した後壁９４は、支持部材９０の回動中心に最も近い現像カートリッジ６０と回動中心との間に配置される壁であり、第１壁９７と相似した形状を有している。詳しくは、後壁９４は、上下方向に延びる第１部位９４Ａと、第１部位９４Ａの上端に配置される第２部位９４Ｂとを有している。
【００５１】
第２部位９４Ｂは、第１部位９４Ａよりも前方に突出するように配置されている。露光ヘッド５０は、第２部位９４Ｂの下方であって、かつ、第１部位９４Ａの前方に配置されている。第２部位９４Ｂの後側の面は、後斜め下方に傾斜する傾斜面となっており、第１部位９４Ａの後面に繋がっている。
【００５２】
後壁９４の上端は、各第１壁９７の上端よりも下方に位置している。詳しくは、第１壁９７は、感光ドラム４１に近い第１端Ｅ１と、第１端Ｅ１と反対側の第２端Ｅ２とを有している。後壁９４は、感光ドラム４１に近い第３端Ｅ３と、第３端Ｅ３と反対側の第４端Ｅ４とを有している。そして、第４端Ｅ４は、第２端Ｅ２よりも感光ドラム４１の近くに位置している。
【００５３】
また、支持部材９０は、露光ヘッド５０を感光ドラム４１に向けて押圧するヘッド押圧部材９８を４つ備えている。ヘッド押圧部材９８は、例えば圧縮コイルバネであり、対応する露光ヘッド５０と第２部位（９７Ｂまたは９４Ｂ）の間に配置されている。
【００５４】
露光ヘッド５０は、左右方向の各側面から左右方向に突出する突起５１を有している。つまり、突起５１は、露光ヘッド５０の左右方向の一方側の側面と他方側の側面にそれぞれ設けられている。突起５１は、円柱状に形成されている。
【００５５】
また、露光ヘッド５０は、現像カートリッジ６０に所定方向、詳しくは前後方向で対向する対向面５２を有している。対向面５２は、前後方向に直交している。
【００５６】
図４（ａ）に示すように、支持部材９０の側壁９３は、露光ヘッド５０の突起５１を移動可能に支持する溝９３Ａを有している。なお、右側の側壁９３と左側の側壁９２は、同様の構造であるため、以下、右側の側壁９３の構造を代表して説明し、左側の側壁９２については説明を省略する。
【００５７】
溝９３Ａは、感光ドラム４１に近い一端Ｅ５と、一端Ｅ５と反対側の他端Ｅ６とを有する。露光ヘッド５０の突起５１は、支持部材９０が離間位置に位置するときに、溝９３Ａの一端Ｅ５に接触する。ここで、図４は、支持部材９０の単品図であるため、突起５１の位置は、支持部材９０が離間位置に位置するときと同じ位置に位置している。
【００５８】
現像カートリッジ６０は、左右方向の各側面から左右方向、つまり感光ドラム４１の回転軸線方向に突出する第１凸部Ｃ１、第２凸部Ｃ２および第３凸部Ｃ３を有している。つまり、第１凸部Ｃ１、第２凸部Ｃ２および第３凸部Ｃ３は、現像カートリッジ６０の左右方向の一方側の側面と他方側の側面にそれぞれ設けられている。
【００５９】
第１凸部Ｃ１、第２凸部Ｃ２および第３凸部Ｃ３は、それぞれ円柱状に形成されている。特に、第１凸部Ｃ１は、現像ローラ６２の回転軸線を中心にした円柱状に形成されている。第１凸部Ｃ１は、現像ローラ６２の回転軸であってもよいし、回転軸を支持する軸受であってもよい。
【００６０】
第２凸部Ｃ２は、第１凸部Ｃ１よりも感光ドラム４１から離れた位置に配置されている。第３凸部Ｃ３は、第２凸部Ｃ２よりも感光ドラム４１から離れた位置に配置されている。
【００６１】
支持部材９０の側壁９３は、現像カートリッジ６０が支持部材９０に装着されるときに、現像カートリッジ６０の第２凸部Ｃ２および第３凸部Ｃ３をガイドするカートリッジガイドＧ１を備えている。カートリッジガイドＧ１は、第２凸部Ｃ２および第３凸部Ｃ３をガイドするメインガイドＧ１１と、メインガイドＧ１１の下端部に位置するサブガイドＧ１２とを有している。
【００６２】
メインガイドＧ１１は、側壁９３に形成された溝であり、略上下方向、詳しくは上下方向に対して前後に若干傾斜した方向に延びている。言い換えると、メインガイドＧ１１は、後述する第２ガイドＧ２２（図５参照）が延びる方向である第２方向とは異なる第３方向に延びている。メインガイドＧ１１は、上方に向けて開口しており、側壁９３の上端から後斜め下方に延びてサブガイドＧ１２に繋がっている。
【００６３】
サブガイドＧ１２は、側壁９３に形成された溝であり、感光ドラム４１側の面である下面Ｆ１を有している。第３方向に直交する方向において、サブガイドＧ１２の長さＬ２は、メインガイドＧ１１の長さＬ１よりも大きくなっている。また、第２凸部Ｃ２の径は、第３凸部Ｃ３よりも小さくなっている。これにより、第３方向に直交する方向において、サブガイドＧ１２と第２凸部Ｃ２との間のクリアランスは、メインガイドＧ１１と第３凸部Ｃ３との間のクリアランスよりも大きくなっている。そのため、図４（ｂ）に示すように、現像カートリッジ６０が支持部材９０に装着された状態において、第３凸部Ｃ３を中心にして現像カートリッジ６０が回動可能となっている。
【００６４】
図４（ａ）に戻って、支持部材９０は、現像カートリッジ６０を感光ドラム４１に向けて押圧するカートリッジ押圧部材１００を備えている。ここで、図４においては、便宜上、カートリッジ押圧部材１００を、側壁９３の左右方向外側に配置しているが、実際には、カートリッジ押圧部材１００は、側壁９３の左右方向内側に配置されている。
【００６５】
カートリッジ押圧部材１００は、側壁９３に回動可能に支持されるレバー１１０と、レバー１１０を付勢するバネ１２０とを備えている。
【００６６】
レバー１１０は、回動軸部１１１と、第１アーム部１１２と、第２アーム部１１３と、第１押圧部１１４と、第２押圧部１１５とを有している。回動軸部１１１は、対応するメインガイドＧ１１の上端部の後に配置されている。
【００６７】
第１アーム部１１２は、支持部材９０が離間位置に位置するときに、支持部材９０の下端に向けて延びており、その一部がメインガイドＧ１１内に配置されている。第２アーム部１１３は、支持部材９０が離間位置に位置するときに、支持部材９０の後端に向けて延びており、その後端部には、バネ１２０が接続されている。
【００６８】
第１押圧部１１４は、支持部材９０が離間位置に位置するときに、支持部材９０の後端に向けて延びている。第２押圧部１１５は、支持部材９０が離間位置に位置するときに、支持部材９０の下端に向けて延びている。
【００６９】
第１押圧部１１４は、支持部材９０が露光位置に位置するときに（図１０参照）、第２凸部Ｃ２を押圧する。また、第１押圧部１１４は、図４（ｃ）に示すように、支持部材９０が離間位置に位置するときに、サブガイドＧ１２の感光ドラム４１側の面である下面Ｆ１との間で第２凸部Ｃ２を挟む。第２押圧部１１５は、支持部材９０が離間位置に位置するときに、レバー１１０が第２凸部Ｃ２から外れるのを抑えるための抜け止めとなっている。
【００７０】
バネ１２０は、例えば引張コイルバネであり、第２アーム部１１３の先端を下斜め下方に引っ張るように付勢している。なお、図４（ａ）に示す状態において、バネ１２０は自然長であることとする。ただし、本発明はこれに限定されず、例えば、レバー１１０が図示せぬストッパにより図４（ａ）に示す位置から図示時計回りに回動しないように規制されている場合には、バネ１２０でレバー１１０を常時付勢していてもよい。
【００７１】
図５に示すように、ドラムユニット４０のドラムフレーム４３は、第１方向の一例としての上下方向に延びる第１ガイドＧ２１と、上下方向とは異なる第２方向に延びる第２ガイドＧ２２とを有する。第１ガイドＧ２１および第２ガイドＧ２２は、現像カートリッジ６０を支持した支持部材９０が離間位置から露光位置へ移動するときに現像カートリッジ６０の第１凸部Ｃ１をガイドするように構成されている。また、第１ガイドＧ２１および第２ガイドＧ２２は、露光位置に位置する支持部材９０とその下のドラムユニット４０に対して現像カートリッジ６０を装着するときにも、第１凸部Ｃ１をガイドするように構成されている。
【００７２】
第１ガイドＧ２１は、ドラムフレーム４３の側壁４３３に形成された溝であり、上方に向けて開口している。第１ガイドＧ２１は、上方に向かうにつれて幅広になるように形成されている。なお、右側の側壁４３３と左側の側壁４３２は、同様の構造であるため、以下、右側の側壁４３３の構造を代表して説明し、左側の側壁４３２については説明を省略する。
【００７３】
第２ガイドＧ２２は、ドラムフレーム４３の側壁４３３に形成された溝であり、第１ガイドＧ２１にガイドされた現像カートリッジ６０の第１凸部Ｃ１を感光ドラム４１に向けて案内するように構成されている。詳しくは、第２ガイドＧ２２は、第１ガイドＧ２１の下端から後斜め下に向けて延びている。
【００７４】
第２ガイドＧ２２は、感光ドラム４１の外周面の法線に沿って延びている。言い換えると、第２方向から見て第２ガイドＧ２２が感光ドラム４１の回転中心に重なっている。
【００７５】
また、ドラムフレーム４３の側壁４３３は、露光ヘッド５０を位置決めするための切欠ＰＰを有している。切欠ＰＰは、断面視Ｖ形状の切欠であり、図６に示すように、支持部材９０が露光位置に位置するときに、露光ヘッド５０の突起５１に接触する。なお、このとき、露光ヘッド５０の突起５１は、溝９３Ａの一端Ｅ５から離れるように構成されている。つまり、支持部材９０を離間位置から露光位置に移動させる過程において、溝９３Ａの一端Ｅ５で支持されていた突起５１が切欠ＰＰに接触すると、突起５１がそれ以上下がらなくなる。そのため、その後さらに支持部材９０を下げると、溝９３Ａの一端Ｅ５が突起５１に対して下に離れていくので、露光位置において、突起５１が溝９３Ａの一端Ｅ５から離れるようになっている。
【００７６】
支持部材９０が露光位置に位置するときには、左右方向、つまり感光ドラム４１の回転軸線方向から見て、支持部材９０と第１ガイドＧ２１が重なっている。詳しくは、支持部材９０の左右の側壁９２，９３は、ドラムフレーム４３の左右の側壁４３２，４３３よりも左右方向外側に配置されている。なお、支持部材９０の前壁９１には、ドラムフレーム４３の左右の側壁４３２，４３３を逃げるための切欠などを適宜設ければよい。
【００７７】
図６に示すように、前述した現像カートリッジ６０の第１凸部Ｃ１の先端部は、左右方向において、支持部材９０の左右の側壁９２，９３よりも内側であって、かつ、第１ガイドＧ２１および第２ガイドＧ２２と係合可能な位置に位置している。また、現像カートリッジ６０の第２凸部Ｃ２および第３凸部Ｃ３は、第１凸部Ｃ１よりも左右方向外側に突出しており、支持部材９０の左右の側壁９２，９３に形成されたカートリッジガイドＧ１に係合可能となっている。
【００７８】
第１凸部Ｃ１が第２ガイドＧ２２に位置するときには、第２凸部Ｃ２がサブガイドＧ１２に位置し、かつ、第３凸部Ｃ３がメインガイドＧ１１に位置するようになっている。また、現像カートリッジ６０が装着された支持部材９０が露光位置に位置するときには、第２凸部Ｃ２は、レバー１１０と接触した状態で、サブガイドＧ１２の感光ドラム４１側の面である下面Ｆ１から離間するようになっている。
【００７９】
さらに、各現像カートリッジ６０が装着された支持部材９０を離間位置から露光位置に向けて回動していく過程においては、複数の第２凸部Ｃ２のうち支持部材９０の回動中心に最も近い第２凸部Ｃ２から順にサブガイドＧ１２の下面Ｆ１から離間するようになっている。
【００８０】
図５に戻って、ドラムフレーム４３の側壁４３３は、ドラムユニット４０を本体筐体１０に対して位置決めするための基準軸Ａ１と、後述する第２押圧部材Ｐ２によって押圧される被押圧部Ａ２とを有している。なお、基準軸Ａ１および被押圧部Ａ２は、左側の側壁４３２にも同様に設けられている。
【００８１】
基準軸Ａ１は、円柱状の突起であり、側壁４３３の下端部の後側に配置されている。基準軸Ａ１は、側壁４３３から左右方向外側に突出している。
【００８２】
被押圧部Ａ２は、円柱状の突起であり、側壁４３３の下端部の前側に配置されている。被押圧部Ａ２は、側壁４３３から左右方向外側に突出している。
【００８３】
図７に示すように、本体筐体１０は、位置決め部ＳＰと、本体ガイドＧ３と、第１押圧部材Ｐ１と、第２押圧部材Ｐ２と、回動部材Ｒとを備えている。位置決め部ＳＰ、本体ガイドＧ３、第１押圧部材Ｐ１、第２押圧部材Ｐ２および回動部材Ｒは、ドラムユニット４０に対して、左右方向、つまり感光ドラム４１の回転軸線方向の一方側と他方側に１つずつ設けられている。なお、以下の説明では、本体筐体１０の左側の構造について説明し、右側の構造については同様であるため、説明を省略する。
【００８４】
位置決め部ＳＰは、ドラムユニット４０を所定方向、つまり前後方向に位置決めするための部位であり、本体ガイドＧ３に一体に形成されている。位置決め部ＳＰは、前方に向けて開口する凹部であり、水平部ＳＰ１と、傾斜部ＳＰ２とを有している。
【００８５】
水平部ＳＰ１は、ドラムユニット４０の基準軸Ａ１を下から支持する部位であり、前後方向に沿って延びている。水平部ＳＰ１は、本体ガイドＧ３に一体に形成されている。
【００８６】
傾斜部ＳＰ２は、基準軸Ａ１の後方への移動を記載する部位であり、水平部ＳＰ１の後端から前斜め上方に延びている。基準軸Ａ１は、傾斜部ＳＰ２に接触することで、位置決め部ＳＰに位置決めされるようになっている。
【００８７】
本体ガイドＧ３は、ドラムユニット４０を位置決め部ＳＰに向けてガイドする部位である。本体ガイドＧ３は、第１本体ガイドＧ３１と、第２本体ガイドＧ３２と、第３本体ガイドＧ３３と、第４本体ガイドＧ３４とを有する。
【００８８】
第１本体ガイドＧ３１は、被押圧部Ａ２を下から支持する部位であり、前後方向に沿って延びている。第１本体ガイドＧ３１は、水平部ＳＰ１と一体に形成され、水平部ＳＰ１から前方に向けて延びている。
【００８９】
第２本体ガイドＧ３２は、第１本体ガイドＧ３１の前端から上方に向けて延びている。第３本体ガイドＧ３３は、第２本体ガイドＧ３２の上端から前斜め上方に斜めに延びている。第４本体ガイドＧ３４は、第３本体ガイドＧ３３の上端から第３本体ガイドＧ３３よりも急な角度で前斜め上方に斜めに延びている。詳しくは、第４本体ガイドＧ３４の水平方向に対する角度は、第３本体ガイドＧ３３の水平方向に対する角度よりも大きい。
【００９０】
第１押圧部材Ｐ１および第２押圧部材Ｐ２は、ドラムユニット４０を位置決め部ＳＰに向けて押圧するための部材である。第１押圧部材Ｐ１は、ロック部材Ｐ１１と、バネＰ１２とを備えている。
【００９１】
ロック部材Ｐ１１は、位置決め部ＳＰに対して左右方向にずれた位置に配置され、本体筐体１０に回動可能に設けられている。ロック部材Ｐ１１は、位置決め部ＳＰの開口を塞ぐ第１位置（図７の位置）と、位置決め部ＳＰの開口を開放する第２位置（図８の位置）との間で回動可能となっている。ロック部材Ｐ１１は、支持部材９０が露光位置に位置するときに第１位置に位置し、支持部材９０が離間位置に位置するときに第２位置に位置する。
【００９２】
ここで、「位置決め部ＳＰの開口を塞ぐ」とは、感光ドラム４１の回転軸線方向から見て、ロック部材Ｐ１１と位置決め部ＳＰの開口が重なっていることを意味する。また、「位置決め部ＳＰの開口を開放する」とは、感光ドラム４１の回転軸線方向から見て、ロック部材Ｐ１１と位置決め部ＳＰの開口がずれていることを意味する。
【００９３】
ロック部材Ｐ１１は、軸部Ｐ１１１と、アーム部Ｐ１１２と、爪部Ｐ１１３とを有する。軸部Ｐ１１１は、ロック部材Ｐ１１の回動中心となる部位であり、本体筐体１０に回動可能に支持されている。軸部Ｐ１１１は、位置決め部ＳＰの後側に配置されている。
【００９４】
アーム部Ｐ１１２は、支持部材９０が露光位置に位置するときにおいて、軸部Ｐ１１１から前斜め上方に向けて延びている。爪部Ｐ１１３は、支持部材９０が露光位置に位置するときにおいて、アーム部Ｐ１１２の前端部から下方に向けて突出している。
【００９５】
爪部Ｐ１１３は、位置決め部ＳＰ内に位置する基準軸Ａ１と接触する接触面Ｆ２を有している。接触面Ｆ２は、第１押圧部材Ｐ１の押圧力ＦＰ１を基準軸Ａ１に伝達するための面である。接触面Ｆ２は、第１押圧部材Ｐ１の押圧力ＦＰ１の前後方向の成分が、上下方向の成分よりも大きくなるような角度で形成されている。つまり、第１押圧部材Ｐ１の押圧力ＦＰ１は、所定方向の成分が、所定方向および感光ドラム４１の回転軸線方向に直交する直交方向の成分よりも大きくなっている。
【００９６】
バネＰ１２は、圧縮コイルバネであり、支持部材９０に設けられている。詳しくは、バネＰ１２の一端は、支持部材９０の延出部９５に回動可能に連結されている。また、バネＰ１２の他端は、アーム部Ｐ１１２の先端部に回動可能に連結されている。すなわち、バネＰ１２の他端は、ロック部材Ｐ１１に連結されている。
【００９７】
以上のように第１押圧部材Ｐ１が構成されることにより、支持部材９０を離間位置から露光位置に回動するときに、第１押圧部材Ｐ１が支持部材９０で押されることで、第１押圧部材Ｐ１がドラムユニット４０を押圧するようになっている。詳しくは、支持部材９０を離間位置から露光位置に回動するときに、支持部材９０がバネＰ１２を介してロック部材Ｐ１１を押圧することで、ロック部材Ｐ１１が基準軸Ａ１を位置決め部ＳＰに押圧するようになっている。
【００９８】
また、第１押圧部材Ｐ１は、図１０に示すように、支持部材９０を離間位置から露光位置に移動させるときに、露光ヘッド５０および現像カートリッジ６０よりも先に、ドラムユニット４０に接触するように構成されている。詳しくは、支持部材９０を離間位置から露光位置に移動させる過程において、露光ヘッド５０の突起５１がドラムユニット４０の切欠ＰＰに接触する前であって、かつ、現像カートリッジ６０の第１凸部Ｃ１がドラムユニット４０の第１ガイドＧ２１に接触する前に、ロック部材Ｐ１１がドラムユニット４０の基準軸Ａ１に接触するようになっている。
【００９９】
図７に戻って、第２押圧部材Ｐ２は、前後方向に移動可能な移動部材Ｐ２１と、移動部材Ｐ２１を後方に付勢するバネＰ２２とを備えている。移動部材Ｐ２１は、本体筐体１０に前後方向に移動可能に支持されている。移動部材Ｐ２１は、本体部Ｐ２１１と、支持軸Ｐ２１２とを有している。
【０１００】
本体部Ｐ２１１は、第１本体ガイドＧ３１で支持された被押圧部Ａ２を前斜め下方に押圧する押圧面Ｆ３と、ドラムユニット４０を本体筐体１０に装着していく過程において被押圧部Ａ２によって押圧される被押圧面Ｆ４とを有している。押圧面Ｆ３の後端は、被押圧面Ｆ４の後端に接続されている。押圧面Ｆ３は、被押圧面Ｆ４の後端から前斜め下方に向けて延びている。被押圧面Ｆ４は、押圧面Ｆ３の後端から前斜め上方に向けて延びている。
【０１０１】
押圧面Ｆ３は、第２押圧部材Ｐ２の押圧力ＦＰ２を被押圧部Ａ２に伝達するための面である。押圧面Ｆ３は、第２押圧部材Ｐ２の押圧力ＦＰ２の前後方向の成分が、上下方向の成分よりも大きくなるような角度で形成されている。つまり、第２押圧部材Ｐ２の押圧力ＦＰ２は、所定方向の成分が、基準軸Ａ１と第１本体ガイドＧ３１との間に発生する摩擦力よりも大きくなっている。
【０１０２】
被押圧面Ｆ４は、被押圧部Ａ２から加わる下方に向かう力を前方に向かう力に変換するカム面である。これにより、ドラムユニット４０を本体筐体１０に装着していく過程において、被押圧部Ａ２が被押圧面Ｆ４を下方に押圧すると、移動部材Ｐ２１がバネＰ２２の付勢力に抗して前方に移動するようになっている。
【０１０３】
図８に示すように、ドラムユニット４０が本体筐体１０から外された状態において、被押圧面Ｆ４は、第３本体ガイドＧ３３のガイド面に沿った位置に配置されている。詳しくは、本体部Ｐ２１１の上部が第３本体ガイドＧ３３のガイド面から上方に突出しないような角度で、被押圧面Ｆ４が形成されている。
【０１０４】
図７に戻って、支持軸Ｐ２１２は、バネＰ２２を支持する軸であり、本体部Ｐ２１１の前面から前方に向けて延びている。支持軸Ｐ２１２は、圧縮コイルバネであるバネＰ２２の内部を貫通するように配置されている。
【０１０５】
バネＰ２２は、移動部材Ｐ２１の本体部Ｐ２１１と回動部材Ｒとの間に配置されている。バネＰ２２の一端は、本体部Ｐ２１１に接触し、他端は回動部材Ｒに接触する。
【０１０６】
回動部材Ｒは、上下方向に延びる長尺な板状部材であり、移動部材Ｐ２１の支持軸Ｐ２１２に左右方向に隣接して配置されている。回動部材Ｒは、長手方向の中央部が本体筐体１０に回動可能に支持されている。回動部材Ｒの下端部は、バネＰ２２に接触している。回動部材Ｒの上端部は、トップカバー１１に設けられるカムＣＭと接触可能となっている。
【０１０７】
詳しくは、トップカバー１１が開放されているときに、回動部材Ｒは、図に２点鎖線で示すように、上下方向に沿った姿勢となっている。より詳しくは、トップカバー１１が開放されているときには、回動部材Ｒの下端部は、バネＰ２２によって前方に付勢されているが、本体筐体１０に設けられたストッパＳＴによって移動が規制されることで、回動部材Ｒが上下方向に沿った姿勢に維持される。
【０１０８】
回動部材Ｒの上端部には、カムＣＭと接触可能な突起Ｒ１が形成されている。カムＣＭは、突起Ｒ１を前方に押圧するカム面ＣＭ１と、突起Ｒ１と係合可能な係合溝ＣＭ２とを有している。
【０１０９】
このように回動部材ＲとカムＣＭが構成されることで、トップカバー１１を閉めるときに、トップカバー１１のカムＣＭが回動部材Ｒに接触して回動部材Ｒが図示反時計回りに回動することで、回動部材Ｒが第２押圧部材Ｐ２をドラムユニット４０に向けて前後方向に沿って押圧するようになっている。また、突起Ｒ１が係合溝ＣＭ２に係合することで、トップカバー１１が閉じた状態に保たれるようになっている。
【０１１０】
次に、ドラムユニット４０を本体筐体１０に位置決めするための構造の作用効果について説明する。
図８に示すように、ドラムユニット４０を装着する際には、トップカバー１１を開放し、かつ、支持部材９０を離間位置に配置する。支持部材９０を離間位置に配置した状態においては、支持部材９０にバネＰ１２を介して連結されたロック部材Ｐ１１が位置決め部ＳＰの開口を開放する第２位置に位置するため、ユーザは、位置決め部ＳＰを容易に視認することができる。
【０１１１】
次に、ユーザは、ドラムユニット４０の後端部を前端部よりも下げた姿勢にしながら、基準軸Ａ１を位置決め部ＳＰに向けて移動させていく。この際、ドラムユニット４０の被押圧部Ａ２を第４本体ガイドＧ３４や第３本体ガイドＧ３３の上に載せることで、ドラムユニット４０の重さを軽減させることができるので、ドラムユニット４０の装着作業を容易にすることができる。
【０１１２】
その後、ユーザは、被押圧部Ａ２を第３本体ガイドＧ３３上で後斜め下方に滑らせていくと、図９に示すように、被押圧部Ａ２が、第３本体ガイドＧ３３から移動部材Ｐ２１の被押圧面Ｆ４に受け渡される。これにより、ドラムユニット４０の荷重が被押圧面Ｆ４に伝わり、被押圧面Ｆ４が下方に押圧される。
【０１１３】
被押圧面Ｆ４が下方に押圧されると、移動部材Ｐ２１が徐々に前方に移動するとともに、被押圧部Ａ２が徐々に下方に移動する。この際、移動部材Ｐ２１の前方への移動により、バネＰ２２が縮んで、付勢力が蓄えられる。
【０１１４】
被押圧部Ａ２が第１本体ガイドＧ３１に接触したときには、被押圧部Ａ２は、移動部材Ｐ２１の押圧面Ｆ３に接触し、この押圧面Ｆ３によって前斜め下方に押圧される。このとき、押圧面Ｆ３による押圧力ＦＰ２は、前後方向の成分が上下方向の成分よりも大きいため、各感光ドラム４１と搬送ベルト７３の摩擦力に抗してドラムユニット４０を移動させることができ、基準軸Ａ１を位置決め部ＳＰに良好に押し付けることができる。
【０１１５】
その後、図１０に示すように、支持部材９０を離間位置から露光位置に向けて回動していくと、支持部材９０にバネＰ１２を介して連結されたロック部材Ｐ１１が第２位置から第１位置に向けて回動する。そして、支持部材９０を離間位置から露光位置に向けて回動していく過程において、ロック部材Ｐ１１は、露光ヘッド５０および現像カートリッジ６０がドラムユニット４０に接触するよりも先に、ドラムユニット４０の基準軸Ａ１に接触する。
【０１１６】
これにより、露光ヘッド５０や現像カートリッジ６０がドラムユニット４０に接触することによって生じる摩擦力が発生する前に、ロック部材Ｐ１１がドラムユニット４０の基準軸Ａ１に接触して基準軸Ａ１を押圧するので、ドラムユニット４０を精度良く位置決めすることができる。
【０１１７】
そして、支持部材９０を露光位置まで回動させると、支持部材９０とロック部材Ｐ１１との間でバネＰ１２が押し縮められて、バネＰ１２の付勢力が蓄えられる。バネＰ１２の付勢力と、ユーザが支持部材９０に加える力は、ロック部材Ｐ１１の接触面Ｆ２（図７参照）を介して基準軸Ａ１に伝達される。このとき、接触面Ｆ２から基準軸Ａ１に加わる押圧力ＦＰ１は、前後方向の成分が上下方向の成分よりも大きいため、各感光ドラム４１と搬送ベルト７３の摩擦力に抗してドラムユニット４０を移動させることができ、基準軸Ａ１を位置決め部ＳＰにより良好に押し付けることができる。
【０１１８】
つまり、支持部材９０を離間位置から露光位置に移動させるときに支持部材９０に加える力と、第１押圧部材Ｐ１の押圧力とによって、ドラムユニット４０を搬送ベルト７３の摩擦力に抗して位置決め部ＳＰに押し付けることができるので、ドラムユニット４０を本体筐体１０に対して精度良く位置決めすることができる。なお、露光位置において、支持部材９０は、図示せぬロック機構によって本体筐体１０にロックされる。
【０１１９】
支持部材９０を露光位置まで回動した後、図７に示すように、トップカバー１１を閉めると、カムＣＭが回動部材Ｒの突起Ｒ１を押圧することで、回動部材Ｒが図示反時計回りに回動する。これにより、回動部材Ｒの下端部と移動部材Ｐ２１との間でバネＰ２２がさらに押し縮められて、押圧力ＦＰ２がさらに大きくなるので、基準軸Ａ１を位置決め部ＳＰにより強く押し当てることができる。
【０１２０】
以上、本実施形態によれば、前述した効果に加え、以下のような効果を得ることができる。
第１押圧部材Ｐ１と第２押圧部材Ｐ２によって、ドラムユニット４０を搬送ベルト７３の摩擦力に抗して位置決め部ＳＰに押し付けることができるので、ドラムユニット４０を本体筐体１０に対して精度良く位置決めすることができる。また、例えば第１押圧部材Ｐ１のみでドラムユニット４０を押圧する構造に比べ、第１押圧部材Ｐ１の力を小さくすることができるので、支持部材９０を露光位置にセットする際において支持部材９０を操作するユーザに加わる第１押圧部材Ｐ１からの反力を小さくすることができる。
【０１２１】
トップカバー１１を閉めるときに、トップカバー１１が回動部材Ｒに接触して回動部材Ｒが回動することで、回動部材Ｒが第２押圧部材Ｐ２をドラムユニット４０に向けて押圧するため、トップカバー１１を閉める力を、ドラムユニット４０の位置決めのための力として利用することができる。
【０１２２】
また、トップカバー１１を開けるときには、カムＣＭが回転部材Ｒから外れることで、回転部材ＲがバネＰ２２の付勢力で元の位置に戻り、バネＰ２２の付勢力が弱まる。そのため、トップカバー１１が開いた状態では、第２押圧部材Ｐ２からドラムユニット４０に加わる押圧力は弱まるため、ドラムユニット４０を着脱する際に必要な力が小さな力で済み、着脱作業を容易に行うことができる。
【０１２３】
ロック部材Ｐ１１が、支持部材９０に設けられたバネＰ１２に連結されているので、支持部材９０を露光位置から離間位置に移動させると、バネＰ１２に連結されたロック部材Ｐ１１が回動して基準軸Ａ１から外れるので、ユーザがロック部材Ｐ１１を外す手間を省くことができ、操作性を向上させることができる。
【０１２４】
支持部材９０が離間位置に位置するときにロック部材Ｐ１１が位置決め部ＳＰの開口を開放する第２位置に位置するので、ドラムユニット４０を本体筐体１０に装着する際においてユーザが位置決め部を視認しやすくなり、操作性を向上させることができる。
【０１２５】
第１押圧部材Ｐ１および第２押圧部材Ｐ２が、ドラムユニット４０に対して左右方向の一方側と他方側に１つずつ設けられているので、ドラムユニット４０を左右方向の両側に配置された第１押圧部材Ｐ１等によってバランスよく押圧することができる。
【０１２６】
なお、本発明は前記実施形態に限定されることなく、以下に例示するように様々な形態で利用できる。以下の説明においては、前記実施形態と略同様の構造となる部材には同一の符号を付し、その説明は省略する。
【０１２７】
前記実施形態では、押圧部材として、回動または移動する部材（ロック部材Ｐ１１または移動部材Ｐ２１）とバネＰ１２，Ｐ２２とを備える構成を例示したが、本発明はこれに限定されるものではない。例えば、押圧部材は、バネのみで構成されていてもよい。バネは、板バネ、トーションバネなどであってもよい。
【０１２８】
前記実施形態では、ロック部材Ｐ１１とバネＰ１２を連結したが、本発明はこれに限定されず、ロック部材とバネは連結されていなくてもよい。
【０１２９】
前記実施形態では、感光ドラム４１との間で用紙Ｐを搬送する搬送ベルト７３を例示したが、本発明はこれに限定されず、例えば、ベルトは、感光体から現像剤像が転写される中間転写ベルトなどであってもよい。
【０１３０】
前記実施形態では、カバーとしてトップカバー１１を例示したが、本発明はこれに限定されず、例えば、カバーは、本体筐体の前側の開口を開閉するフロントカバーなどであってもよい。
【０１３１】
前記実施形態では、カラープリンタ１に本発明を適用したが、本発明はこれに限定されず、その他の画像形成装置、例えば複写機や複合機などに本発明を適用してもよい。
【０１３２】
前記した実施形態および変形例で説明した各要素を、任意に組み合わせて実施してもよい。
【符号の説明】
【０１３３】
１      カラープリンタ
１０    本体筐体
４０    ドラムユニット
４１    感光ドラム
５０    露光ヘッド
６０    現像カートリッジ
７３    搬送ベルト
９０    支持部材
Ｐ１    第１押圧部材
ＳＰ    位置決め部
【図１】
2019152843.tif 000003
【図２】
2019152843.tif 000004
【図３】
2019152843.tif 000005
【図４】
2019152843.tif 000006
【図５】
2019152843.tif 000007
【図６】
2019152843.tif 000008
【図７】
2019152843.tif 000009
【図８】
2019152843.tif 000010
【図９】
2019152843.tif 000011
【図１０】
2019152843.tif 000012